(57)【要約】【課題】モジュールを移設する候補ビルを容易に発見できるようにすること。【解決手段】モジュール使用数履歴を記憶する装置管理記憶部と、モジュール使用数履歴に基づき将来のモジュール使用数予測処理を実行する使用数予測処理部と、モジュール移設条件に基づいて移設候補となるビルを評価した移設評価情報を記憶する移設情報記憶部と、将来のモジュール使用数予測処理の結果と移設評価情報に基づきモジュール移設処理又はモジュール購入処理を実行する。【選択図】図１
2018005417.tif 000002
【特許請求の範囲】
【請求項１】
モジュール使用数履歴を記憶する装置管理記憶部と、
前記モジュール使用数履歴に基づき将来のモジュール使用数予測処理を実行する使用数予測処理部と、
モジュール移設条件に基づいて移設候補となるビルを評価した移設評価情報を記憶する移設情報記憶部と、
前記将来のモジュール使用数予測処理の結果と前記移設評価情報に基づきモジュール移設処理又はモジュール購入処理を実行する移設候補決定部と、
を備える設備管理装置。
【請求項２】
前記移設候補決定部は、モジュール未使用数、未使用数が０となる最短の月、施工業者及び都道府県の情報に基づいて、移設評価情報を決定する、
請求項１に記載の設備管理装置。
【請求項３】
前記移設候補決定部は、モジュール移設処理又はモジュール購入処理を実行する場合、移設又は購入するモジュール数が筐体の空スロット数よりも大きければ、筐体の移設処理又は購入処理を実行する、
請求項１に記載の設備管理装置。
【請求項４】
装置管理記憶部と、使用数予測処理部と、移設情報記憶部と、移設候補決定部とを備える設備管理装置が行う設備管理方法であって、
前記装置管理記憶部の記憶するモジュール使用数履歴に基づき将来のモジュール使用数予測処理を実行する使用数予測処理ステップと、
前記将来のモジュール使用数予測処理の結果と前記移設情報記憶部の記憶するモジュール移設条件に基づいて移設候補となるビルを評価した移設評価情報とに基づきモジュール移設処理又はモジュール購入処理を実行する移設候補決定ステップと、
を有する設備管理方法。
【請求項５】
装置管理記憶部と、使用数予測処理部と、移設情報記憶部と、移設候補決定部とを備えるコンピュータが実行するコンピュータプログラムであって、
前記装置管理記憶部の記憶するモジュール使用数履歴に基づき将来のモジュール使用数予測処理を実行する使用数予測処理ステップと、
前記将来のモジュール使用数予測処理の結果と前記移設情報記憶部の記憶するモジュール移設条件に基づいて移設候補となるビルを評価した移設評価情報とに基づきモジュール移設処理又はモジュール購入処理を実行する移設候補決定ステップと、
をコンピュータに実行させるためのコンピュータプログラム。
【請求項６】
設備管理装置と端末とを備える設備管理システムであって、
前記設備管理装置は、
モジュール使用数履歴を記憶する装置管理記憶部と、
モジュール移設条件に基づいて移設候補となるビルを評価した移設評価情報を記憶する移設情報記憶部と、
を備え、
前記端末は、
前記モジュール使用数履歴に基づき将来のモジュール使用数予測処理を実行する使用数予測処理部と、
前記将来のモジュール使用数予測処理の結果と前記移設評価情報に基づきモジュール移設処理又はモジュール購入処理を実行する移設候補決定部と、
を備える設備管理システム。
【発明の詳細な説明】
【技術分野】
【０００１】
本発明は、設備管理装置及び設備管理システムに関する。
【背景技術】
【０００２】
専用線などの通信サービスでは、各ビルの申込み需要を予測し、予測した数のモジュールをあらかじめ設置しておくことが多い。しかし、専用線等の通信サービスでは利用ユーザがどのビルを利用するかの予測が難しく、モジュールが不足するビルとモジュールが余るビルが出てくる。そこで、モジュールが不足する場合には、モジュールを購入し増設する以外に他のビルの未利用モジュールを不足するビルへ移設していた。
【先行技術文献】
【特許文献】
【０００３】
【特許文献１】特開２００２−２１５６９９号公報
【発明の概要】
【発明が解決しようとする課題】
【０００４】
しかしながら、どのビルからモジュールを移設すべきかを定量的に判断する仕組みがないという問題があった。
【０００５】
上記事情に鑑み、本発明は、モジュールを移設する候補ビルを容易に発見できるようにする技術を提供することを目的としている。
【課題を解決するための手段】
【０００６】
本発明の一態様は、モジュール使用数履歴を記憶する装置管理記憶部と、前記モジュール使用数履歴に基づき将来のモジュール使用数予測処理を実行する使用数予測処理部と、モジュール移設条件に基づいて移設候補となるビルを評価した移設評価情報を記憶する移設情報記憶部と、前記将来のモジュール使用数予測処理の結果と前記移設評価情報に基づきモジュール移設処理又はモジュール購入処理を実行する移設候補決定部と、を備える設備管理装置である。
【０００７】
本発明の一態様は、上記の設備管理装置であって、前記移設候補決定部は、モジュール未使用数、未使用数が０となる最短の月、施工業者及び都道府県の情報に基づいて、移設評価情報を決定する。
【０００８】
本発明の一態様は、上記の設備管理装置であって、前記移設候補決定部は、モジュール移設処理又はモジュール購入処理を実行する場合、移設又は購入するモジュール数が筐体の空スロット数よりも大きければ、筐体の移設処理又は購入処理を実行する。
【０００９】
本発明の一態様は、装置管理記憶部と、使用数予測処理部と、移設情報記憶部と、移設候補決定部とを備える設備管理装置が行う設備管理方法であって、前記装置管理記憶部の記憶するモジュール使用数履歴に基づき将来のモジュール使用数予測処理を実行する使用数予測処理ステップと、前記将来のモジュール使用数予測処理の結果と前記移設情報記憶部の記憶するモジュール移設条件に基づいて移設候補となるビルを評価した移設評価情報とに基づきモジュール移設処理又はモジュール購入処理を実行する移設候補決定ステップと、を有する設備管理方法である。
【００１０】
本発明の一態様は、装置管理記憶部と、使用数予測処理部と、移設情報記憶部と、移設候補決定部とを備えるコンピュータが実行するコンピュータプログラムであって、前記装置管理記憶部の記憶するモジュール使用数履歴に基づき将来のモジュール使用数予測処理を実行する使用数予測処理ステップと、前記将来のモジュール使用数予測処理の結果と前記移設情報記憶部の記憶するモジュール移設条件に基づいて移設候補となるビルを評価した移設評価情報とに基づきモジュール移設処理又はモジュール購入処理を実行する移設候補決定ステップと、をコンピュータに実行させるためのコンピュータプログラムである。
【００１１】
本発明の一態様は、設備管理装置と端末とを備える設備管理システムであって、前記設備管理装置は、モジュール使用数履歴を記憶する装置管理記憶部と、モジュール移設条件に基づいて移設候補となるビルを評価した移設評価情報を記憶する移設情報記憶部と、を備え、前記端末は、前記モジュール使用数履歴に基づき将来のモジュール使用数予測処理を実行する使用数予測処理部と、前記将来のモジュール使用数予測処理の結果と前記移設評価情報に基づきモジュール移設処理又はモジュール購入処理を実行する移設候補決定部と、を備える設備管理システムである。
【発明の効果】
【００１２】
本発明により、モジュールを移設する候補ビルを容易に発見できるようにすることが可能となる。
【図面の簡単な説明】
【００１３】
【図１】設備管理システム１のシステム構成を表すシステム構成図。
【図２】モジュールテーブルの具体例を示す図。
【図３】線形近似処理を実行することで予測を行ったグラフの一例。
【図４】装置管理テーブルの具体例を示す図。
【図５】移設管理テーブルの具体例を示す図。
【図６】ビル管理テーブルの具体例を示す図。
【図７】移設判定テーブルの具体例を示す図。
【図８】設備管理システム１の処理の流れを示すフローチャート。
【図９】移設候補決定処理の流れを示すフローチャート。
【図１０】従来の専用線などのネットワーク構成を示す図。
【図１１】従来技術の課題を示す図。
【図１２】第２実施形態における設備管理システム２のシステム構成を表すシステム構成図。
【図１３】設備管理システム２の処理の流れを示すフローチャート。
【図１４】移設候補決定処理の流れを示すフローチャート。
【発明を実施するための形態】
【００１４】
（システム構成）
図１は、設備管理システム１のシステム構成を表すシステム構成図である。設備管理システムは、設備管理装置１００及び１つ以上の端末２００を備える。設備管理装置１００及び端末２００は、ネットワーク３００を介して互いに通信可能に接続される。ネットワーク３００は、どのようなネットワークで構築されてもよい。例えば、ネットワーク３００は、データセンターネットワークで構成されてもよい。
【００１５】
設備管理装置１００は、ネットワーク機器やメインフレームやワークステーションやパーソナルコンピュータなどの情報処理装置を用いて構成される。設備管理装置１００には、ユーザが触れることを前提とした装置も、ユーザが触れることを前提としていない装置も含まれる。設備管理装置１００には、以下に示す機能を備えることが可能な装置であればどのような装置もなり得る。設備管理装置１００は、バスで接続されたＣＰＵ（Central Processing Unit）やメモリや補助記憶装置などを備える。設備管理装置１００は、設備管理プログラムを実行することによって、通信部１０１、機能制御部１０２、装置情報記憶部１０３、使用数予測処理部１０４、装置管理記憶部１０５、一時記憶部１０６、ビル情報記憶部１０７、移設候補決定部１０８、移設情報記憶部１０９、モジュール移設部１１０、モジュール購入部１１１、入出力制御部１１２、入力部１１３及び出力部１１４を備える装置として機能する。なお、設備管理装置１００の各機能の全て又は一部は、ＡＳＩＣ(Application Specific Integrated Circuit)やＰＬＤ(Programmable Logic Device)やＦＰＧＡ(Field Programmable Gate Array)等のハードウェアを用いて実現されてもよい。設備管理プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、半導体記憶装置(例えばＳＳＤ：Solid State Drive)等の可搬媒体、コンピュータシステムに内蔵されるハードディスクや半導体記憶装置等の記憶装置である。設備管理プログラムは、電気通信回線を介して送信されてもよい。設備管理装置１００は、複数台の情報処理装置を用いて構成されてもよい。
【００１６】
通信部１０１は、ネットワークインタフェースである。通信部１０１はネットワーク３００を介して端末２００と通信する。
【００１７】
機能制御部１０２は、端末２００から受信した指示情報（例えば、設備管理プログラムの実行）に基づいて、使用数予測処理部１０４にモジュール使用数予測処理の実行を指示する。機能制御部１０２は、端末２００から受信した指示情報（例えば、モジュール移設処理の許可等）に基づいて、モジュール移設部１１０にモジュール移設処理の実行を指示する。機能制御部１０２は、端末２００から受信した指示情報（例えば、モジュール購入処理の許可等）に基づいて、モジュール購入部１１１にモジュール購入処理の実行を指示する。なお、端末２００から受信した指示情報は、入出力制御部１１２から受信してもよい。
【００１８】
装置情報記憶部１０３は、磁気ハードディスク装置や半導体記憶装置等の記憶装置を用いて構成される。装置情報記憶部１０３は、モジュールテーブルを記憶する。モジュールテーブルは、モジュールレコードを有する。モジュールとは、専用線等のネットワークを構成するネットワーク機器に組み込む部品である。例えば、専用線装置には、機能や用途に合わせて複数のモジュールが用いられる。
【００１９】
図２は、モジュールテーブルの具体例を示す図である。モジュールレコードは、モジュール名、納期（月）、価格（円）及び用途の各値を有する。モジュール名は、モジュールレコードに登録されているモジュールの名称を示す。納期（月）は、モジュールを購入した場合の納品時期を示す。価格（円）は、モジュールの販売価格を示す。用途とは、「低速・長距離用」、「低速・短距離用」、「高速・長距離用」等のように、モジュールがどのような使いみちを有するか説明する情報を示す。
【００２０】
図２に示される例では、モジュールテーブルの最上段のレコードは、モジュール名の値が“モジュールＡ”、納期（月）の値が“２”、価格（円）の値が“９８，０００”、用途の値が“低速・長距離用”である。したがって、このモジュールレコードによると、モジュールＡが購入された場合、２か月後に納品される。また、モジュールＡの価格は９８，０００円である。モジュールＡは、速度が低くビル間距離が長い場合に用いられるモジュールであることを示す。なお、図２に示されるモジュールテーブルは一具体例に過ぎない。そのため、図２とは異なる態様でモジュールテーブルが構成されてもよい。例えば、モジュールテーブルは、“納期（月）”の代わりに、“納期（週）”を有してもよい。
【００２１】
図１に戻って、設備管理装置１００の説明を続ける。使用数予測処理部１０４は、装置管理記憶部１０５に記憶されている装置管理テーブルを取得する。使用数予測処理部１０４は、モジュール使用数の予測処理を実行する。具体的には、使用数予測処理部１０４は、装置管理テーブルに登録される情報（例えば、モジュール使用数履歴等）を用いて線形近似や多項式近似等を実行することで将来のモジュール使用数を算出する。図３は、線形近似処理を実行することで予測を行ったグラフの一例である。また、使用数予測処理部１０４は、一時記憶部１０６が記憶する移設管理テーブルに移設管理レコードを作成し、予測処理の結果を登録する。
【００２２】
装置管理記憶部１０５は、磁気ハードディスク装置や半導体記憶装置等の記憶装置を用いて構成される。装置管理記憶部１０５は、装置管理テーブルを記憶する。装置管理テーブルは、装置管理レコードを有する。
【００２３】
図４は、装置管理テーブルの具体例を示す図である。装置管理レコードは、モジュール名、ビル名、筐体番号、モジュール使用数、モジュール未使用数、空スロット数及びモジュール使用数履歴の各値を有する。モジュール名は、モジュールの名称を示す。ビル名は、モジュールが設置されているビルの名称を示す。筐体番号は、ビルに設置されている筐体の識別番号を示す。筐体は、モジュールを組み込むために用いられる。モジュール使用数は、現在使用されているモジュールの数を示す。モジュール未使用数は、筐体に組み込まれているモジュールのうち、使われていないモジュールの数を示す。空スロット数は、筐体に新しく組み込むことができるモジュールの数を示す。モジュール使用数履歴は、現在まで使用されてきたモジュール使用数の実績を示す。
【００２４】
図４に示される例では、装置管理テーブルの最上段のレコードは、モジュール名の値が“モジュールＡ”、ビル名の値が“ビルＡ”、筐体番号の値が“２０１５００４”、モジュール使用数の値が“３”、モジュール未使用数の値が“４”、空スロット数の値が“３”、モジュール使用数履歴の値が、１か月前は“２”、２か月前は“１”…である。したがって、装置管理レコードによると、モジュールＡは、ビルＡの筐体番号が２０１５００４の筐体に７つ組み込まれている。モジュールＡは、７つのうち３つが使用中であり４つが未使用中である。空スロット数が３であるため、この筐体にはモジュールＡを新しく３つ組み込むことができる。モジュールＡは、１か月前には２つ使用されており、２か月前には１つ使用されていたことを示す。なお、図３に示される装置管理テーブルは一具体例に過ぎない。そのため、図４とは異なる態様で装置管理テーブルが構成されてもよい。例えば、装置管理テーブルは、モジュール毎に分割されてもよい。
【００２５】
図１に戻って、設備管理装置１００の説明を続ける。一時記憶部１０６は、磁気ハードディスク装置や半導体記憶装置等の記憶装置を用いて構成される。一時記憶部１０６は、移設管理テーブルを記憶する。移設管理テーブルは、移設管理レコードを有する。
【００２６】
図５は、移設管理テーブルの具体例を示す図である。移設管理レコードは、モジュール名、ビル名、筐体番号、モジュール未使用数、最短の月、移設可否を有する。モジュール名は、モジュールの名称を示す。ビル名は、モジュールが設置されているビルの名称を示す。筐体番号は、ビルに設置されている筐体の識別番号を示す。モジュール未使用数は、筐体に組み込まれているものの使われていないモジュールの数を示す。最短の月は、使用数予測処理部１０４によって算出された、将来のモジュール使用数がモジュール使用数とモジュール未使用数との和以上となる最短の月を示す。移設可否は、ビルから、モジュールを他のビルへ移設可能か否かを示す。具体的には、最短の月の値が納期（月）の値よりも大きい場合、モジュールを他のビルへ移設することができる。一方、最短の月の値が納期（月）の値以下である場合、モジュールを他のビルへ移設することができない。さらに、この場合、モジュールを他のビルから移設することができる。例えば、移設可否の値が“可”の場合、このビルのモジュールは、他のビルへ移設可能である。一方、移設可否の値が“不可”の場合、このビルのモジュールは、他のビルへ移設不可能である。移設可否の値が“不可”の場合、さらに、モジュールを設置する際には、このビルのモジュールは他のビルから移設される必要がある。なお、移設可否の値は、他の表現を用いて示される値（例えば、○や×等）であってもよい。
【００２７】
図５に示される例では、移設管理テーブルの最上段のレコードは、モジュール名の値が“モジュールＡ”、ビル名の値が“ビルＡ”、筐体番号の値が“２０１５００４”、モジュール未使用数の値が“４”、最短の月の値が“４”、移設可否の値が“可”である。したがって、この移設管理レコードによると、モジュールＡはビルＡにおいて、筐体番号が２０１５００４の筐体に未使用の状態で４つ組み込まれている。ビルＡにおいては、全てのモジュールＡを４か月後に使用することを示す。モジュールＡはビルＡから他のビルに移設可であることを示す。なお、図５に示される移設管理テーブルは一具体例に過ぎない。そのため、図４とは異なる態様で装置管理テーブルが構成されてもよい。例えば、移設管理テーブルは、移設可能なモジュール数の値を有していてもよい。
【００２８】
ビル情報記憶部１０７は、磁気ハードディスク装置や半導体記憶装置等の記憶装置を用いて構成される。ビル情報記憶部１０７は、ビル管理テーブルを記憶する。ビル管理テーブルは、ビル管理レコードを有する。
【００２９】
図６は、ビル管理テーブルの具体例を示す図である。ビル管理レコードは、ビル名、都道府県、施工業者の各値を有する。ビル名は、ビル管理レコードの管理対象となるビルの名称を示す。都道府県は、ビルの住所である都道府県名を示す。施工業者は、ビルの工事を担当する業者名を示す。工事とは、モジュールの移設や組み込み等の作業である。
【００３０】
図６に示される例では、ビル管理テーブルの最上段のレコードは、ビル名の値が“ビルＡ”、都道府県の値が“東京都”、施工業者の値が“業者Ａ”である。したがって、このビル管理レコードによると、ビルＡは東京都にあり、施工業者Ａが工事を実行していることを示す。なお、図６に示されるビル管理テーブルは一具体例に過ぎない。そのため、図６とは異なる態様でビル管理テーブルが構成されてもよい。例えば、ビル管理テーブルは、ビルの連絡先電話番号の値を有していてもよい。
【００３１】
移設候補決定部１０８は、モジュール移設不可であるビルに対し、他のビルからモジュールを移設するか又はモジュールを購入するか判断する処理を実行する。移設候補決定部１０８は、モジュール移設可能であると判断した場合、モジュール移設部１１０にモジュール移設処理を実行させる。移設候補決定部１０８は、モジュール移設可能ではないと判断した場合、モジュール購入部１１１にモジュール購入処理を実行させる。
【００３２】
移設情報記憶部１０９は、磁気ハードディスク装置や半導体記憶装置等の記憶装置を用いて構成される。移設情報記憶部１０９は、移設判定テーブルを記憶する。移設判定テーブルは、モジュール移設条件に基づいて移設候補となるビルを評価した移設評価情報を登録する移設判定レコードを有する。モジュール移設条件とは、モジュール未使用数、未使用数が０となる最短の月、施工業者及び都道府県等のモジュールを移設する否か判断を行う際に用いる１つ以上の情報である。
【００３３】
図７は、移設判定テーブルの具体例を示す図である。移設判定レコードは、移設元、移設先、未使用数点数、予測月数点数、施工業者点数、都道府県点数及び総得点を有する。移設先は、モジュールを移設する先のビル名を示す。ビル名は、モジュールが設置されているビルの名称を示す。未使用数点数は、モジュール未使用数に基づいて決定される点数である。予測月数点数は、未使用数が０となる最短の月及び納期（月）に基づいて決定される点数である。施工業者点数は、このビルの施工業者に基づいて決定される点数である。都道府県点数は、このビルの住所である都道府県に基づいて決定される点数である。
【００３４】
図７に示される例では、移設判定テーブルの最上段のレコードは、移設元の値が“ビルＡ”、移設先が“ビルＢ”、未使用数点数の値が“４”、予測月数点数の値が“２”、施工業者点数の値が“１”、都道府県点数の値が“１”、総得点の値が“８”である。したがって、この移設判定レコードによると、モジュールをビルＡからビルＢまで移設するにあたり、未使用数、予測月数、施工業者、都道府県などの条件を点数化すると合計で８点であること示す。なお、図７に示される移設管理テーブルは一具体例に過ぎない。そのため、図７とは異なる態様で移設判定テーブルが構成されてもよい。例えば、移設判定テーブルは、移設に最低限必要とする得点の閾値を有していてもよい。
【００３５】
モジュール移設部１１０は、移設候補決定部１０８によってモジュール移設可能であると判断された場合、モジュール移設処理を実行する。具体的には、移設元となるビル情報（例えば、ビル名、モジュール未使用数、最短の月等）を、通信部１０１を介して端末２００へ送信する。モジュール移設部１１０は、端末２００から受信した指示情報（例えば、モジュール移設処理の許可等）に基づいて、施工業者への注文書送付や装置管理テーブルの装置管理レコードの更新処理等を実行する。なお、モジュール移設部１１０は、移設元となるビル情報を入出力制御部１１２へ通知してもよい。この場合、モジュール移設部１１０は、入出力制御部１１２から指示情報を受信する。
【００３６】
モジュール購入部１１１は、移設候補決定部１０８によってモジュール移設可能でないと判断された場合、モジュール購入処理を実行する。具体的には、モジュール情報（例えば、納期（月）、価格など）を、通信部１０１を介して端末２００へ送信する。モジュール購入部１１１は、前記端末２００から、受信した指示情報（例えば、モジュール購入処理の許可等）に基づいて、販売業者への注文書送付や装置管理テーブルの装置管理レコードの更新処理の実行等を実行する。なお、モジュール購入部１１１は、モジュール情報を入出力制御部１１２へ通知してもよい。この場合、モジュール購入部１１１は、入出力制御部１１２から指示情報を受信する。
【００３７】
入出力制御部１１２は、入力部１１３から入力された入力信号から入力データを生成し、機能制御部１０２に通知する。入出力制御部１１２は、モジュール移設部１１０及びモジュール購入部１１１から通知されたデータから出力信号を生成し、出力部１１４へ通知する。
【００３８】
入力部１１３は、タッチパネル、ボタン、マウス、スイッチ及びキーボード等の入力装置を用いて構成される。入力部１１３は、入力装置を設備管理装置１００に接続するためのインタフェースであってもよい。この場合、入力部１１３は、入力装置において入力された入力信号から入力データ（例えば、設備管理装置１００に対する指示を示す指示情報）を生成し、設備管理装置１００に入力する。
【００３９】
出力部１１４は、ＣＲＴ（Cathode Ray Tube）ディスプレイ、液晶ディスプレイ、有機ＥＬ（Electro Luminescence）ディスプレイ等の出力装置である。出力部１１４は、出力装置を設備管理装置１００に接続するためのインタフェースであってもよい。この場合、出力部１１４は、映像データから映像信号を生成し自身に接続されている映像出力装置に映像信号を出力する。なお、出力部１１４は、スピーカー、イヤホン、ヘッドフォン等の音声出力装置を用いて構成されてもよい。なお、この場合、出力部１１４は、音声出力装置を設備管理装置１００に接続するためのインタフェースであってもよい。
【００４０】
端末２００は、メインフレームやワークステーションやパーソナルコンピュータなどの情報処理装置を用いて構成される。端末２００には、ユーザが触れることを前提とした装置も、ユーザが触れることを前提としていない装置も含まれる。端末２００は、バスで接続されたＣＰＵやメモリや補助記憶装置などを備える。端末２００は、モジュール移設候補算出プログラムを実行することによって、通信部２０１、入出力制御部２０２、入力部２０３、出力部２０４を備える装置として機能する。なお、端末２００の各機能の全て又は一部は、ＡＳＩＣやＰＬＤやＦＰＧＡ等のハードウェアを用いて実現されてもよい。設備管理プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、半導体記憶装置(例えばＳＳＤ)等の可搬媒体、コンピュータシステムに内蔵されるハードディスクや半導体記憶装置等の記憶装置である。端末２００は、複数台の情報処理装置を用いて構成されてもよい。
【００４１】
通信部２０１は、ネットワークインタフェースである。通信部２０１はネットワーク３００を介して設備管理装置１００と通信する。
【００４２】
入出力制御部２０２は、入力部２０３から入力された入力信号から入力データを生成し、通信部２０１を介して設備管理装置１００に通知する。入出力制御部２０２は、設備管理装置１００から通知を受けたデータから出力信号を生成し、出力部２０４へ通知する。
【００４３】
入力部２０３は、タッチパネル、ボタン、マウス、スイッチ及びキーボード等の入力装置を用いて構成される。入力部２０３は、入力装置を端末２００に接続するためのインタフェースであってもよい。この場合、入力部２０３は、入力装置において入力された入力信号から入力データ（例えば、設備管理装置１００に対する指示を示す指示情報）を生成し、端末２００に入力する。
【００４４】
出力部２０４は、ＣＲＴディスプレイ、液晶ディスプレイ、有機ＥＬディスプレイ等の出力装置である。出力部２０４は、出力装置を端末２００に接続するためのインタフェースであってもよい。この場合、出力部２０４は、映像データから映像信号を生成し自身に接続されている映像出力装置に映像信号を出力する。なお、出力部２０４は、スピーカー、イヤホン、ヘッドフォン等の音声出力装置を用いて構成されてもよい。なお、この場合、出力部２０４は、音声出力装置を端末２００に接続するためのインタフェースであってもよい。
【００４５】
図８は、設備管理システム１の処理の流れを示すフローチャートである。まず、機能制御部１０２は、端末２００から受信した指示情報に基づいて、設備管理プログラムを実行する。具体的には、機能制御部１０２は、使用数予測処理部１０４に、設備管理プログラムの実行を指示する（ステップＳ１０１）。使用数予測処理部１０４は、装置情報記憶部１０３に記憶されているモジュールテーブルの全てのモジュールレコードに対してステップＳ１０２〜ステップＳ１１２までの処理を実行する。使用数予測処理部１０４は、モジュールレコードから納期（月）を取得する（以後、本フローチャート内では、納期（月）を「Ｘ」とする。）（ステップＳ１０２）。
【００４６】
使用数予測処理部１０４は、装置管理テーブルから選択したモジュールレコードに登録されているモジュール名と一致する全ての装置管理レコードを選択して、ステップＳ１０３〜ステップＳ１０８までの処理を実行する。
【００４７】
使用数予測処理部１０４は、装置管理レコードから、モジュール使用数、モジュール未使用数及びモジュール使用数履歴を取得する（以後、本フローチャート内では、モジュール使用数をＡ、モジュール未使用数をＢ、モジュール使用数履歴をＣとする）（ステップＳ１０３）。使用数予測処理部１０４は、Ｃを用いてモジュール使用数予測処理を実行する。具体的には、Ｃを用いて線形近似や多項式近似等を実行することで、将来のモジュール使用数を算出する（ステップＳ１０４）。使用数予測処理部１０４は、算出した将来のモジュール使用数がＡとＢとの和以上となる最短の月を特定する（ステップＳ１０５）。使用数予測処理部１０４は、特定した月とＸとを比較する（ステップＳ１０６）。特定した月が、Ｘよりも大きい場合（ステップＳ１０６‐ＹＥＳ）、使用数予測処理部１０４は、移設可処理を実行する。具体的には、使用数予測処理部１０４は、一時記憶部１０６に登録されている移設管理テーブルに移設管理レコードを作成する。使用数予測処理部１０４は、移設管理レコードのモジュール名、ビル名、筐体番号及びモジュール未使用数の値として、装置管理レコードに登録されているモジュール名、ビル名、筐体番号及びモジュール未使用数の値を登録する。使用数予測処理部１０４は、移設管理レコードの最短の月の値として、将来のモジュール使用数がＡとＢとの和以上となる最短の月を登録する。使用数予測処理部１０４は、移設管理レコードの移設可否の値として、“可”を登録する（ステップＳ１０７）。特定した月が、Ｘ以下である場合（ステップＳ１０６−ＮＯ）、使用数予測処理部１０４は、移設不可処理を実行する。具体的には、使用数予測処理部１０４は、一時記憶部１０６に登録されている移設管理テーブルに移設管理レコードを作成する。使用数予測処理部１０４は、移設管理レコードのモジュール名、ビル名、筐体番号及びモジュール未使用数の値として、装置管理レコードのモジュール名、ビル名、筐体番号及びモジュール未使用数の値を登録する。使用数予測処理部１０４は、移設管理レコードの最短の月の値として、将来のモジュール使用数がＡとＢとの和以上となる最短の月を登録する。使用数予測処理部１０４は、移設管理レコードの移設可否の値として、“不可”を登録する（ステップＳ１０８）。
【００４８】
移設候補決定部１０８は、移設可否の値として不可が登録されている全ての移設管理レコードに対して、ステップＳ１０９〜ステップＳ１１２までの処理を実行する。具体的には、移設候補決定部１０８は、移設候補決定処理を実行する（ステップＳ１０９）。移設候補決定部１０８は、移設候補決定処理の結果が移設可であるか否か判定する（ステップＳ１１０）。移設可である場合（ステップＳ１１０‐ＹＥＳ）、モジュール移設部１１０は、モジュール移設処理を実行する。
【００４９】
具体的には、モジュール移設部１１０は、端末２００に対して、移設元となるビル情報（例えば、ビル名、モジュール未使用数、最短の月等）を、端末２００へ送信する。機能制御部１０２は、端末２００から指示情報を受信すると、モジュール移設部１１０にモジュール移設処理の実行を指示する。モジュール移設部１１０は、指示情報に基づいて、施工業者への注文書送付や装置管理テーブルの装置管理レコードの更新処理等のモジュールの移設に必要な処理を実行する（ステップＳ１１１）。移設可ではない場合（ステップＳ１１０−ＮＯ）、モジュール購入部１１１は、モジュール購入処理を実行する。具体的には、モジュール購入部１１１は、端末２００に対して、モジュール情報（例えば、納期（月）、価格など）を、端末２００へ送信する。機能制御部１０２は、端末２００から指示情報を受信すると、モジュール購入部１１１にモジュール購入処理の実行を指示する。モジュール購入部１１１は、指示情報に基づいて、販売業者への注文書送付、装置管理テーブルの装置管理レコードの更新等のモジュールの購入に必要な処理を実行する。（ステップＳ１１２）。
【００５０】
図９は、移設候補決定処理（ステップＳ１０９）の流れを示すフローチャートである。移設候補決定部１０８は、移設可否の値として可が登録されている全ての移設管理レコードに対して、ステップＳ２０１〜ステップＳ２０６までの処理を実行する。具体的には、まず、移設候補決定部１０８は、移設管理レコードのモジュール未使用数の値が２未満か否か判定する（ステップＳ２０１）。モジュール未使用数が２未満である場合（ステップＳ２０１−ＹＥＳ）、当該移設管理レコードに対して何らの処理も実行しない。一方、モジュール未使用数が２未満ではない場合（ステップＳ２０１−ＮＯ）、移設候補決定部１０８は、移設情報記憶部１０９が記憶する移設判定テーブルに移設判定レコードを生成する（ステップＳ２０２）。移設候補決定部１０８は、移設管理レコードのモジュール未使用数の値に基づいて、未使用数点数を算出する（例えば、モジュール未使用数１つにつき、１点など）。移設候補決定部１０８は、未使用数点数を移設判定レコードの未使用数点数に登録する（ステップＳ２０３）。移設候補決定部１０８は、移設管理レコードの最短の月の値に基づいて、予測月数点数を算出する（例えば、最短の月が１か月につき、１点など）。移設候補決定部１０８は、予測月数点数を移設判定レコードの予測月数点数に登録する（ステップＳ２０４）。移設候補決定部１０８は、ビル情報記憶部１０７が記憶しているビル管理テーブルのビル管理レコードの値に基づいて、施工業者点数を算出する（例えば、移設元ビルと移設先ビルの施工業者が一致していれば、１点など）。移設候補決定部１０８は、未使用数点数を移設判定レコードの施工業者点数に登録する（ステップＳ２０５）。移設候補決定部１０８は、ビル情報記憶部１０７が記憶しているビル管理テーブルのビル管理レコードの値に基づいて、都道府県点数を算出する（例えば、移設元ビルと移設先ビルの都道府県が一致していれば、１点など）。移設候補決定部１０８は、未使用数点数を移設判定レコードの都道府県点数に登録する（ステップＳ２０６）。
【００５１】
移設候補決定部１０８は、移設判定テーブルに移設判定レコードが有るか否か判定する（ステップＳ２０７）。移設判定レコードが有る場合（ステップＳ２０７−ＹＥＳ）、移設候補決定部１０８は、移設判定レコード毎の総得点を算出し、移設判定レコードの総得点に登録する。総得点とは、移設判定レコードの未使用点数、予測月数点数、施工業者点数及び都道府県点数の値の総合計値である。移設候補決定部１０８は、総得点が最も大きい移設判定レコードを決定する（ステップＳ２０８）。移設候補決定部１０８は、移設判定レコードの移設元の値を取得する。移設候補決定部１０８は、移設候補決定処理の結果は、移設可であるとする（ステップＳ２０９）。移設判定レコードがない場合（ステップＳ２０７−ＮＯ）、移設候補決定部１０８は、移設候補決定処理の結果は、移設可ではないとする（ステップＳ２１０）。移設候補決定部１０８は、移設候補決定処理を終了する。
【００５２】
（効果）
図１０は、従来の専用線などのネットワーク構成を示す図である。図１１は、従来技術の課題を示す図である。従来の設備管理システムでは、モジュールが不足するビルに対して、どのビルからモジュールを移設すべきか定量的に判断する仕組みがなかった。このような従来技術に対して、上述した設備管理システム１では、モジュール使用数予測処理を実行するため、モジュール移設する候補ビルを容易に発見できるようになる。
【００５３】
（変形例）
設備管理装置１００は、モジュール移設処理又はモジュール購入処理を実行する場合、移設又は購入するモジュール数が筐体の空スロット数よりも大きければ、筐体の移設処理又は購入処理を実行してもよい。このように構成することで、筐体の空きスロット数が不足する場合でも、筐体の移設又は購入処理を個別に実行する必要がなくなる。
【００５４】
（第２の実施形態）
図１２は、第２実施形態における設備管理システム２のシステム構成を表すシステム構成図である。第２実施形態における設備管理システム２は、設備管理装置１００に代えて設備管理装置１００ａを備える点と端末２００に代えて端末２００ａを備える点で第１実施形態における設備管理システム１と異なり、そのほかの点では設備管理システム１と同じ構成である。
【００５５】
設備管理装置１００ａは、機能制御部１０２に代えて機能制御部１０２ａを備える点と、使用数予測処理部１０４、移設候補決定部１０８、モジュール移設部１１０及びモジュール購入部１１１を有さない点とで、第１実施形態における設備管理装置１００と異なり、そのほかの点では設備管理装置１００と同じ構成である。
【００５６】
機能制御部１０２ａは、端末２００ａから受信した指示情報（例えば、モジュールレコードの取得等）に基づいて、装置情報記憶部１０３、装置管理記憶部１０５、一時記憶部１０６、ビル情報記憶部１０７及び移設情報記憶部１０９から所定の情報を取得し、端末２００ａへ送信する。機能制御部１０２ａは、端末２００ａから受信した情報（例えば、移設可否の値等）を、装置情報記憶部１０３、装置管理記憶部１０５、一時記憶部１０６、ビル情報記憶部１０７及び移設情報記憶部１０９の所定の記憶部へ登録する。
【００５７】
端末２００ａは、入出力制御部２０２に代えて入出力制御部２０２ａを備える点と、機能制御部２０５ａ、使用数予測処理部２０６ａ、移設候補決定部２０７ａ、モジュール移設部２０８ａ及びモジュール購入部２０９ａを更に備える点とで第１実施形態における端末２００と異なり、そのほかの点では端末２００と同じ構成である。
【００５８】
入出力制御部２０２ａは、入力部２０３から入力された入力信号から入力データを生成し、機能制御部２０５ａに通知する。入出力制御部２０２ａは、モジュール移設部２０８ａ及びモジュール購入部２０９ａから通知を受けた出力データから出力信号を生成し、出力部２０４へ通知する。
【００５９】
機能制御部２０５ａは、入出力制御部２０２ａから受信した指示情報（例えば、設備管理プログラムの実行）に基づいて、使用数予測処理部２０６ａにモジュール使用数予測処理の実行を指示する。機能制御部２０５ａは、入出力制御部２０２ａから受信した指示情報（例えば、モジュール移設処理の許可等）に基づいて、モジュール移設部２０８ａにモジュール移設処理の実行を指示する。機能制御部２０５ａは、入出力制御部２０２ａから受信した指示情報（例えば、モジュール購入処理の許可等）に基づいて、モジュール購入部２０９ａにモジュール購入処理の実行を指示する。
【００６０】
使用数予測処理部２０６ａは、装置管理記憶部１０５に記憶されている装置管理テーブルを取得する。使用数予測処理部２０６ａは、モジュール使用数の予測処理を実行する。具体的には、使用数予測処理部２０６ａは、装置管理テーブルに登録される情報（例えば、モジュール使用数履歴等）を用いて線形近似や多項式近似等を実行することで将来のモジュール使用数を算出する。例えば、図３は、線形近似処理を実行することで予測を行ったグラフの一例である。また、使用数予測処理部２０６ａは、一時記憶部１０６が記憶する移設管理テーブルに移設管理レコードを作成し、予測処理の結果を登録する。
【００６１】
移設候補決定部２０７ａは、モジュール移設不可であるビルに対し、他のビルからモジュールを移設するか又はモジュールを購入するか判断する処理を実行する。移設候補決定部２０７ａは、モジュール移設可能であると判断した場合、モジュール移設部２０８ａにモジュール移設処理を実行させる。移設候補決定部２０７ａは、モジュール移設可能ではないと判断した場合、モジュール購入部２０９ａにモジュール購入処理を実行させる。
【００６２】
モジュール移設部２０８ａは、移設候補決定部２０７ａによってモジュール移設可能であると判断された場合、モジュール移設処理を実行する。具体的には、移設元となるビル情報（例えば、ビル名、モジュール未使用数、最短の月等）を、入出力制御部２０２ａへ通知する。
モジュール移設部２０８ａは、入出力制御部２０２ａから通知を受けた指示情報（例えば、モジュール移設処理の許可等）に基づいて、施工業者への注文書送付や装置管理テーブルの装置管理レコードの更新処理等を実行する。
【００６３】
モジュール購入部２０９ａは、移設候補決定部２０７ａによってモジュール移設可能でないと判断された場合、モジュール購入処理を実行する。具体的には、モジュール情報（例えば、納期（月）、価格など）を、入出力制御部２０２ａへ通知する。
モジュール購入部２０９ａは、入出力制御部２０２ａから通知を受けた指示情報（例えば、モジュール購入処理の許可等）に基づいて、販売業者への注文書送付や装置管理テーブルの装置管理レコードの更新処理の実行等を実行する。
【００６４】
図１３は、設備管理システム２の処理の流れを示すフローチャートである。まず、入出力制御部２０２ａは、入力部２０３から入力された指示情報（具体的には、設備管理プログラムの実行）を機能制御部２０５ａに通知する。機能制御部２０５ａは、入出力制御部２０２ａから受信した指示情報に基づいて、設備管理プログラムを実行する。具体的には、機能制御部２０５ａは、使用数予測処理部２０６ａに、設備管理プログラムの実行を指示する（ステップＳ３０１）。使用数予測処理部２０６ａは、装置情報記憶部１０３に記憶されているモジュールテーブルの全てのモジュールレコードに対してステップＳ３０２〜ステップＳ３１２までの処理を実行する。使用数予測処理部２０６ａは、モジュールレコードから納期（月）を取得する（以後、本フローチャート内では、納期（月）を「Ｘ」とする。）（ステップＳ３０２）。
【００６５】
使用数予測処理部２０６ａは、装置管理テーブルから選択したモジュールレコードに登録されているモジュール名と一致する全ての装置管理レコードを選択して、ステップＳ３０３〜ステップＳ３０８までの処理を実行する。使用数予測処理部２０６ａは、装置管理レコードから、モジュール使用数、モジュール未使用数及びモジュール使用数履歴を取得する（以後、本フローチャート内では、モジュール使用数をＡ、モジュール未使用数をＢ、モジュール使用数履歴をＣとする）（ステップＳ３０３）。使用数予測処理部２０６ａは、Ｃを用いてモジュール使用数予測処理を実行する。具体的には、Ｃを用いて線形近似や多項式近似等を実行することで、将来のモジュール使用数を算出する（ステップＳ３０４）。使用数予測処理部２０６ａは、算出した将来のモジュール使用数がＡとＢとの和以上となる最短の月を特定する（ステップＳ３０５）。使用数予測処理部２０６ａは、特定した月とＸとを比較する（ステップＳ３０８）。特定した月が、Ｘより大きい場合（ステップＳ３０６‐ＹＥＳ）、使用数予測処理部２０６ａは、移設可処理を実行する。具体的には、使用数予測処理部２０６ａは、一時記憶部１０６に登録されている移設管理テーブルに移設管理レコードを作成する。使用数予測処理部２０６ａは、移設管理レコードのモジュール名、ビル名、筐体番号及びモジュール未使用数の値として、装置管理レコードに登録されているモジュール名、ビル名、筐体番号及びモジュール未使用数の値を登録する。使用数予測処理部２０６ａは、移設管理レコードの最短の月の値として、将来のモジュール使用数がＡとＢとの和以上となる最短の月を登録する。使用数予測処理部２０６ａは、移設管理レコードの移設可否の値として、“可”を登録する（ステップＳ３０７）。特定した月が、Ｘ以下である場合（ステップＳ３０６−ＮＯ）、使用数予測処理部２０６ａは、移設不可処理を実行する。具体的には、使用数予測処理部２０６ａは、一時記憶部１０６に登録されている移設管理テーブルに移設管理レコードを作成する。使用数予測処理部２０６ａは、移設管理レコードのモジュール名、ビル名、筐体番号及びモジュール未使用数の値として、装置管理レコードのモジュール名、ビル名、筐体番号及びモジュール未使用数の値を登録する。使用数予測処理部２０６ａは、移設管理レコードの最短の月の値として、将来のモジュール使用数がＡとＢとの和以上となる最短の月を登録する。使用数予測処理部２０６ａは、移設管理レコードの移設可否の値として、“不可”を登録する（ステップＳ３０８）。
【００６６】
移設候補決定部２０７ａは、移設可否の値として不可が登録されている全ての移設管理レコードに対して、ステップＳ３０９〜ステップＳ３１２までの処理を実行する。具体的には、移設候補決定部２０７ａは、移設候補決定処理を実行する（ステップＳ３０９）。移設候補決定部２０７ａは、移設候補決定処理の結果が移設可であるか否か判定する（ステップＳ３１０）。移設可である場合（ステップＳ３１０‐ＹＥＳ）、モジュール移設部２０８ａは、モジュール移設処理を実行する。具体的には、モジュール移設部２０８ａは、入出力制御部２０２ａに対して、移設元となるビル情報（例えば、ビル名、モジュール未使用数、最短の月等）を、入出力制御部２０２ａへ通知する。入出力制御部２０２ａは、モジュール移設部２０８ａから通知を受けた情報から出力データを生成し、出力部２０４に通知する。入出力制御部２０２ａは、入力部２０３から通知を受けた入力情報（具体的には、モジュール移設処理の実行等の指示情報）から入力データを生成し、機能制御部２０５ａへ通知する。機能制御部２０５ａは、入出力制御部２０２ａから指示情報の通知を受けると、モジュール移設部１１０にモジュール移設処理の実行を指示する。モジュール移設部２０８ａは、指示情報に基づいて、施工業者への注文書送付や装置管理テーブルの装置管理レコードの更新処理等のモジュールの移設に必要な処理を実行する（ステップＳ３１１）。移設可ではない場合（ステップＳ３１０−ＮＯ）、モジュール購入部２０９ａは、モジュール購入処理を実行する。具体的には、モジュール購入部２０９ａは、入出力制御部２０２ａに対して、モジュール情報（例えば、納期（月）、価格など）を、入出力制御部２０２ａへ通知する。入出力制御部２０２ａは、モジュール購入部２０９ａから通知を受けた情報から出力データを生成し、出力部２０４に通知する。入出力制御部２０２ａは、入力部２０３から通知を受けた入力情報（具体的には、モジュール購入処理の実行などの指示情報）から入力データを生成し、機能制御部２０５ａへ通知する。機能制御部２０５ａは、入出力制御部２０２ａから指示情報を受けると、モジュール購入部２０９ａにモジュール購入処理の実行を指示する。モジュール購入部２０９ａは、指示情報に基づいて、販売業者への注文書送付、装置管理テーブルの装置管理レコードの更新等のモジュールの購入に必要な処理を実行する。（ステップＳ３１２）。
【００６７】
図１４は、移設候補決定処理（ステップＳ３０９）の流れを示すフローチャートである。移設候補決定部２０７ａは、移設可否の値として可が登録されている全ての移設管理レコードに対して、ステップＳ４０１〜ステップＳ４０７までの処理を実行する。具体的には、まず、移設候補決定部２０７ａは、移設管理レコードのモジュール未使用数の値が２未満か否か判定する（ステップＳ４０１）。モジュール未使用数が２未満である場合（ステップＳ４０１−ＹＥＳ）、当該移設管理レコードに対して何らの処理も実行しない。一方、モジュール未使用数が２未満ではない場合（ステップＳ４０１−ＮＯ）、移設候補決定部２０７ａは、移設情報記憶部１０９が記憶する移設判定テーブルに移設判定レコードを生成する（ステップＳ４０２）。移設候補決定部２０７ａは、移設管理レコードのモジュール未使用数の値に基づいて、未使用数点数を算出する（例えば、モジュール未使用数１つにつき、１点など）。移設候補決定部２０７ａは、未使用数点数を移設判定レコードの未使用数点数に登録する（ステップＳ４０３）。移設候補決定部２０７ａは、移設管理レコードの最短の月の値に基づいて、予測月数点数を算出する（例えば、最短の月が１か月につき、１点など）。移設候補決定部２０７ａは、予測月数点数を移設判定レコードの予測月数点数に登録する（ステップＳ４０４）。移設候補決定部２０７ａは、ビル情報記憶部１０７が記憶しているビル管理テーブルのビル管理レコードの値に基づいて、施工業者点数を算出する（例えば、移設元ビルと移設先ビルの施工業者が一致していれば、１点など）。移設候補決定部２０７ａは、未使用数点数を移設判定レコードの施工業者点数に登録する（ステップＳ４０５）。移設候補決定部２０７ａは、ビル情報記憶部１０７が記憶しているビル管理テーブルのビル管理レコードの値に基づいて、都道府県点数を算出する（例えば、移設元ビルと移設先ビルの都道府県が一致していれば、１点など）。移設候補決定部２０７ａは、未使用数点数を移設判定レコードの都道府県点数に登録する（ステップＳ４０６）。
【００６８】
移設候補決定部２０７ａは、移設判定テーブルに移設判定レコードが有るか否か判定する（ステップＳ４０７）。移設判定レコードが有る場合（ステップＳ４０７−ＹＥＳ）、移設候補決定部２０７ａは、移設判定レコード毎の総得点を算出し、移設判定レコードの総得点に登録する。総得点とは、移設判定レコードの未使用点数、予測月数点数、施工業者点数及び都道府県点数の値の総合計値である。移設候補決定部２０７ａは、総得点が最も大きい移設判定レコードを決定する（ステップＳ４０８）。移設候補決定部２０７ａは、移設判定レコードの移設元の値を取得する。移設候補決定部２０７ａは、移設候補決定処理の結果は、移設可であるとする（ステップＳ４０９）。移設判定レコードがない場合（ステップＳ４０７−ＮＯ）、移設候補決定部２０７ａは、移設候補決定処理の結果は、移設可ではないとする（ステップＳ４１０）。移設候補決定部２０７ａは、移設候補決定処理を終了する。
【００６９】
（効果）
このように構成された設備管理システム２では、端末２００ａが設備管理プログラムを実行する。一方で設備管理装置１００ａは、データの管理のみを実行する。そのため、設備管理装置１００ａの負荷が軽減される。
【符号の説明】
【００７０】
１…設備管理システム１，  ２…設備管理システム２，  １００…設備管理装置，  １０１…通信部，  １０２…機能制御部，  １０３…装置情報記憶部，  １０４…使用数予測処理部，  １０５…装置管理記憶部，  １０６…一時記憶部，  １０７…ビル情報記憶部，  １０８…移設候補決定部，  １０９…移設情報記憶部，  １１０…モジュール移設部，  １１１…モジュール購入部，  １１２…入出力制御部，  １１３…入力部，  １１４…出力部，  ２００…端末，  ２０１…通信部，  ２０２…入出力制御部，  ２０３…入力部，  ２０４…出力部，  ３００…ネットワーク，  １００ａ…設備管理装置，  １０２ａ…機能制御部，  ２００ａ…端末，  ２０５ａ…機能制御部，  ２０６ａ…使用数予測処理部，  ２０７ａ…移設候補決定部，  ２０８ａ…モジュール移設部，  ２０９ａ…モジュール購入部
【図１】
2018005417.tif 000003
【図２】
2018005417.tif 000004
【図３】
2018005417.tif 000005
【図４】
2018005417.tif 000006
【図５】
2018005417.tif 000007
【図６】
2018005417.tif 000008
【図７】
2018005417.tif 000009
【図８】
2018005417.tif 000010
【図９】
2018005417.tif 000011
【図１０】
2018005417.tif 000012
【図１１】
2018005417.tif 000013
【図１２】
2018005417.tif 000014
【図１３】
2018005417.tif 000015
【図１４】
2018005417.tif 000016